(57)【要約】【課題】本発明は、充電中断を少なくすることにより、携帯機器から充電開始音が度々発せさせず、使い勝手を良くすることを目的とするものである。【解決手段】携帯機器１６を充電する充電コイル１２と、この充電コイル１２の通電を制御する充電制御部１４と携帯機器１６と交信する通信部１５とを有し、充電制御部１４は、充電コイル１２の通電を開始した後、通信部１５を介して取得した不足電力量が所定値以上であると、低い充電周波数へ変更する構成とする。【選択図】図３
2015216705.tif 000002
【特許請求の範囲】
【請求項１】
携帯機器を充電する充電コイルと、この充電コイルの通電を制御する充電制御部と、前記携帯機器と交信する通信部とを有し、
前記充電制御部は、前記充電コイルの通電を開始した後、前記通信部を介して取得した不足電力量が所定値以上であると、低い充電周波数へ変更する無接点充電装置。
【請求項２】
前記充電制御部は、ラジオ受信部から現在受信している受信周波数を取得し、前記充電周波数の整数倍近傍が前記受信周波数とならない充電周波数へ変更する請求項１に記載の無接点充電装置。
【請求項３】
前記充電制御部は、１４０ｋＨｚの充電周波数で前記充電コイルの通電を開始する請求項１に記載の無接点充電装置。
【請求項４】
携帯機器の充電をする充電コイルの通電を開始するステップと、
前記携帯機器の不足電力量を取得するステップと、
前記不足電力量が所定値以上であると、低い充電周波数へ変更するステップと、
をコンピュータに実行させるためのプログラム。
【請求項５】
請求項１から３に記載の無接点充電装置が車内に設置された自動車。
【発明の詳細な説明】
【技術分野】
【０００１】
本発明は、携帯機器を、非接触式で充電する無接点充電装置と、そのプログラム、および無接点充電装置を搭載した自動車に関するものである。
【背景技術】
【０００２】
この種の無接点充電装置は、携帯機器（例えば携帯電話）を充電する充電コイルと、この充電コイルの通電を制御する充電制御部とを備え、充電コイルから磁束を携帯機器の充電コイルに供給し携帯機器に対する無接点（非接触）充電が行える（これに類似するものとして、例えば下記特許文献１）。
【先行技術文献】
【特許文献】
【０００３】
【特許文献１】特開２０１０−１０４２０３号公報
【発明の概要】
【発明が解決しようとする課題】
【０００４】
無接点充電装置は、充電（共振）周波数を変化させることにより、電力供給の増減が可能である。従来例では、最初から電力供給量の多い充電周波数から充電を始めると、対応できない携帯機器が存在するため、電力供給量の少ない充電周波数から充電を開始し、徐々に電力供給量が多くなる、低い充電周波数へ変更していた。
【０００５】
この時、従来例では、携帯機器からの電力供給増の要求に対し、無接点充電装置の電力供給が追い付かずエラーとなる場合があった。そして、充電途中でエラーになると、電力供給量が多くなる、低い充電周波数へ変更し、充電を最初からやり直していた（リトライしていた）。
【０００６】
しかしながら、従来例のように充電を最初からやり直すと、充電開始毎に携帯機器から充電開始音が発せられ、煩わしく使い勝手が良くないものであった。
【０００７】
そこで、本発明は、使い勝手を良くすることを目的とするものである。
【課題を解決するための手段】
【０００８】
この目的を達成するために本開示の第１の局面の無接点充電装置は、携帯機器を充電する充電コイルと、この充電コイルの通電を制御する充電制御部と携帯機器と交信する通信部とを有し、充電制御部は、充電コイルの通電を開始した後、通信部を介して取得した不足電力量が所定値以上であると、低い充電周波数へ変更する構成とし、これによって所期の目的を達成するものである。
【発明の効果】
【０００９】
以上のように本開示の第１の局面の無接点充電装置は、携帯機器を充電する充電コイルと、この充電コイルの通電を制御する充電制御部と携帯機器と交信する通信部とを有し、充電制御部は、充電コイルの通電を開始した後、通信部を介して取得した不足電力量が所定値以上であると、低い充電周波数へ変更する構成としたものであるので、充電をやり直すことがないため、携帯機器からの充電開始音が度々発せられることがなく、使い勝手を良くすることができる。
【００１０】
すなわち、通信部を介して取得した不足電力量を確認することにより、充電途中で電力供給不足になる前に充電周波数をより電力供給量の多い低い充電周波数へ変更するため、充電を最初からやり直すことがない。
【００１１】
したがって、携帯機器から電力不足により充電が中断することがないので、充電を最初からやり直す毎に携帯機器から充電開始音が度々発せられることがなく、使い勝手の良いものとなるのである。
【００１２】
さらに、充電の中断が発生しないので、充電完了までの時間を短縮できるものとなる。
【図面の簡単な説明】
【００１３】
【図１】本発明の一実施形態にかかる無接点充電装置を搭載した自動車内を示す斜視図
【図２】同自動車内に設置された車載用電子機器の正面図
【図３】同自動車の制御ブロック図
【図４】本発明の一実施形態にかかる無接点充電装置で充電をする携帯機器を示す図
【図５】本発明の一実施形態にかかる無接点充電装置と携帯機器間での通信内容を示す図
【図６】本発明の一実施形態にかかる無接点充電装置で充電する各種携帯機器を説明する図
【図７】本発明の一実施形態にかかる無接点充電装置の動作フローチャート
【発明を実施するための形態】
【００１４】
以下、本発明の一実施形態を、添付図面を用いて説明する。
【００１５】
（実施の形態１）
図１において、自動車の車内２の前方にはハンドル３が配置されている。
【００１６】
また、車内２の運転席と助手席の間で、ハンドル３の左側には、車載機器４が設けられている。さらに、車載機器４の下側に無接点充電装置５が設けられている。
【００１７】
なお、車載機器４は、出発地から目的地までの道案内を行うナビゲーション装置やＣＤ再生やラジオ受信機能を備えたオーディオ装置が代表的なものである。
【００１８】
この車載機器４は図２、図３に示すように、ディスプレイ６、ラジオ受信部７、音声出力部８、およびそれらの制御部９を有する一般的なもので、音声出力部８には報知手段ともなるスピーカ１０が接続されている。
【００１９】
また、無接点充電装置５は、図３、図４に示す携帯機器１６を充電する充電コイル１２と、この充電コイル１２に充電駆動回路１３を介して接続された充電制御部１４を備える。
【００２０】
さらに、充電制御部１４に接続された通信部１５を備えている。通信部１５は、充電コイル１２と携帯機器１６の充電コイル１７とを介して通信部２４と通信する。しかし、これに限らず、Ｂｌｕｅｔｏｏｔｈ（登録商標）やＮＦＣ（Ｎｅａｒ  Ｆｉｅｌｄ  Ｃｏｍｍｕｎｉｃａｔｉｏｎの略語およそ１メートルから数センチメートル程度の極短距離の無線通信のことである）を用いた通信でも構わない。
【００２１】
さらにまた、無接点充電装置５の充電制御部１４は、車載機器４の制御部９に接続されている。
【００２２】
一方、携帯機器１６は、典型的には携帯電話（スマートフォンも含む）であり、よく知られているように充電コイル１７と、この充電コイル１７に接続された制御部１８、充電電池１９と、前記制御部１８に接続されたディスプレイ２０、操作部２１、画像処理部２２、音声出力部２３を備えている。
【００２３】
携帯機器１６は、通常、充電開始を知らせる充電開始音を音声出力部２３から発するようになっている。例えば、自動車を運転中に充電をする場合、携帯機器１６を近くに置いた状態で充電を行う場合が多いため、充電開始音が何度も発せられると、非常に煩わしく感じるものである。
【００２４】
また、この携帯機器１６の制御部１８に通信部２４が接続され、前述のように充電制御部１４に接続された通信部１５と各種情報を送受信する。
【００２５】
以上の構成において、図５から図７を用いて、携帯機器１６を充電する手順について説明する。
【００２６】
なお、図５は、無接点充電装置５と携帯機器１６（端末Ａ１からＡ９は、充電中に必要な電力など充電条件が異なる種類の携帯機器１６である）の間での通信内容を示し、この情報から不足電力量が計算できる。
【００２７】
図６は、端末Ａ１からＡ９それぞれの携帯機器１６が、充電開始後にどのような充電状態となるかを示したものである。つまり、携帯機器１６は、搭載する充電池の容量や種類、および充電回路により充電に必要な電力が異なる。例えば、充電開始時に同じ電力が供給されても、ある端末は電力供給が多すぎて充電を停止するが、一方で、電力供給が不足して充電を停止する端末もある。
【００２８】
この図６の例では、端末Ａ１からＡ７は、充電周波数１４０ｋＨｚで充電可能であることを示している。一方、端末Ａ８と端末Ａ９は、充電周波数１４０ｋＨｚでは電力が不足し、このまま充電を継続すると充電が中断する。充電周波数１１０ｋＨｚに変更することにより、充電が継続できることを示している。
【００２９】
このように、様々な種類の携帯機器１６であっても、充電を中断することがない無接点充電装置５の動作手順について以下に説明する。
【００３０】
図７は、その無接点充電装置５の動作フローチャートである。
【００３１】
まず、運転席に着座した運転者がエンジンを起動し、ＡＣＣ電源を入れる。
【００３２】
すると、無接点充電装置５も起動され、この無接点充電装置５の電源スイッチ（図示せず）をＯＦＦしない限り、起動状態が保持される。
【００３３】
運転者が、自身の携帯機器１６を充電すべく無接点充電装置５に装着する。この時、無接点充電装置５の充電コイル１２と、携帯機器１６の充電コイル１７が対向する状態とする。無接点充電装置５の充電コイル１２が自動的に移動し、携帯機器１６の充電コイル１７が対向する状態とする。詳しくは、例えば特開２００９−２４７１９４号公報で知られている構成により実現可能である。
【００３４】
また、この状態では、無接点充電装置５の充電コイル１２のインピーダンスが変化するので、充電制御部１４は、携帯機器１６が装着されたことを理解する。
【００３５】
次に、充電制御部１４は、充電周波数１４０ｋＨｚで充電を開始する（ステップＳ１）。ここで、充電周波数は、電力供給が多すぎるために充電が停止してしまう種類の携帯機器１６の充電停止が避けられればよく、充電周波数は１４０ｋＨｚに限らない。
【００３６】
例えば、図５および図６に示すように端末Ａ１から端末Ａ７は、充電周波数１４０ｋＨｚで充電を開始することができるが、端末Ａ８と端末Ａ９は、充電周波数１４０ｋＨｚでは、供給される電力が不足し、充電が中断されてしまう。
【００３７】
充電開始後、充電制御部１４は、通信部１５および通信部２４を介して、携帯機器１６から電力供給割合（％）を取得する（ステップＳ２）。電力供給割合とは、携帯機器１６（図７では、レシーバー）が期待している電力に対する供給電力の割合である（図５も参照）。
【００３８】
ステップＳ２と同じように、充電制御部１４は、携帯機器１６から受信可能最大電力を取得する（ステップＳ３、図５も参照）。
【００３９】
そして、充電制御部１４は、取得した電力供給割合（％）と受信可能最大電力から不足電力量を計算する（ステップＳ４）。
【００４０】
次に、充電制御部１４は、この不足電力量から電力供給量が十分か否かを判定する（ステップＳ５）。
【００４１】
例えば、図５および図６に示す例では、端末Ａ１から端末Ａ７は、電力供給量が適切であるため、充電周波数を変更しなくても充電を継続することができる。
【００４２】
一方、端末Ａ８と端末Ａ９は、充電周波数を１１０ｋＨｚ等に下げれば、充電を中断することなく継続することができる（ステップＳ７）。
【００４３】
よって、図５および図６に示す例では、不足電力量が３Ｗ以下であれば、充電周波数を変更せず、不足電力量が３Ｗ以上であれば、充電周波数を１１０ｋＨｚ等に下げれば、端末Ａ１からＡ９のいずれの端末を充電する際にも充電が中断することがない。
【００４４】
この時、充電制御部１４は、ラジオ受信部７から現在受信している受信周波数を取得し、変更する充電周波数の整数倍近傍がこの受信周波数とならないようにすることが好ましい。このようにすることにより、ラジオを視聴中であってもラジオ音声に与える影響を少なくすることができるとともに、充電の中断も発生しない。
【００４５】
なお、図７の動作フローは、無接点充電装置５に搭載されたプログラムとして説明したが、車載機器４、無接点充電装置５、および携帯機器１６のいずれにもこのプログラムを搭載することが可能である。
【００４６】
以上説明したように、本実施の形態の第１の局面の無接点充電装置５は、携帯機器１６を充電する充電コイル１２と、この充電コイル１２の通電を制御する充電制御部１４と携帯機器１６と交信する通信部１５とを有し、充電制御部１４は、充電コイル１２の通電を開始した後、通信部１５を介して取得した不足電力量が所定値以上であると、低い充電周波数へ変更する構成としたものであるので、充電をやり直すことがないため、携帯機器１６からの充電開始音が度々発せられることがなく、使い勝手を良くすることができる。
【００４７】
すなわち、充電制御部１４は、通信部１５を介して取得した不足電力量を確認すること
により、充電途中で電力供給不足になる前に充電周波数をより電力供給量の多い低い充電周波数へ変更するため、充電を最初からやり直すことがない。
【００４８】
したがって、携帯機器１６から電力不足により充電が中断することがないので、充電を最初からやり直す毎に携帯機器１６の音声出力部２３から充電開始音が度々発せられることがなく、使い勝手の良いものとなるのである。
【００４９】
さらに、充電の中断が発生しないので、充電完了までの時間を短縮できるものとなる。
【産業上の利用可能性】
【００５０】
以上のように本発明の無接点充電装置は、携帯機器を充電する充電コイルと、この充電コイルの通電を制御する充電制御部と携帯機器と交信する通信部とを有し、充電制御部は、充電コイルの通電を開始した後、通信部を介して取得した不足電力量が所定値以上であると、低い充電周波数へ変更する構成としたものであるので、充電をやり直すことがないため、携帯機器からの充電開始音が度々発せられることがなく、使い勝手を良くすることができる。
【００５１】
したがって、様々な種類の携帯機器を充電する無接点充電装置としての活用が期待されるものとなる。
【符号の説明】
【００５２】
２  車内
３  ハンドル
４  車載機器
５  無接点充電装置
６  ディスプレイ
７  ラジオ受信部
８  音声出力部
９  制御部
１０  スピーカ
１２、１７  充電コイル
１３  充電駆動回路
１４  充電制御部
１５、２４  通信部
１６  携帯機器
１８  制御部
１９  充電電池
２０  ディスプレイ
２１  操作部
２２  画像処理部
２３  音声出力部
【図１】
2015216705.tif 000003
【図２】
2015216705.tif 000004
【図３】
2015216705.tif 000005
【図４】
2015216705.tif 000006
【図５】
2015216705.tif 000007
【図６】
2015216705.tif 000008
【図７】
2015216705.tif 000009